(57)【要約】【課題】ファン筐体固定部への大きな氷塊生成を防止してファン回転に支障をきたすことのない冷蔵庫の提供。【解決手段】ファン筐体３１は四角枠状に形成してその下辺が傾斜状態となるようにファン保持板２１に装着し、かつ、前記ファン筐体３１をファン保持板２１に固定する固定片部３３，３４，３５は前記傾斜状態とした下辺の最下部以外の部分に設けた構成としてある。これにより、ファン筐体に結露して付着しファン筐体の下辺に流下した除霜水は、当該下辺の傾斜に沿ってその最下部へと流動し、そのファン筐体の最下部にはファン筐体を固定する固定片部がないので、前記下辺の最下部まで流動した除霜水はそのまま下方へ滴下し、この部分に留水し結氷して大きな氷塊となることはない。したがって、除霜水の結氷によりファンの回転に支障をきたすのを防止できる。【選択図】図６
2017096546.tif 000002
【特許請求の範囲】
【請求項１】
複数の貯蔵室を有する冷蔵庫本体と、前記冷蔵庫本体の背部に設けた冷却室と、前記冷却室に設けた冷却器と、前記冷却器の上方にあって冷却冷気を前記各貯蔵室に供給する冷却ファンと、前記冷却器の下方に設けた除霜用の発熱手段とを備え、前記冷却ファンは前記冷却室を区画形成するファン保持板に設けたファン装着用開口に配置して前記ファン装着用開口の縁の両面に設けた大小複数の固定片部によりファン保持板に固定した冷蔵庫であって、前記冷却ファンはそのファン筐体を四角枠状に形成してその下辺が傾斜状態となるようにファン保持板に装着し、かつ、前記ファン筐体の下辺をファン保持板に固定する冷却器側面の前記固定片部は傾斜状態とした下辺の最下部コーナ以外の部分に設けた冷蔵庫。
【請求項２】
ファン筐体をファン保持板に固定する大小複数の固定片部のうちファン筐体の下辺に設ける固定片部は前記下辺以外の部分に設けた固定片部より小さい形状とした請求項１記載の冷蔵庫。
【請求項３】
ファン筐体の上方部分にファン羽根の羽根先端垂線よりも外方に突出する庇部を設けた請求項１または２記載の冷蔵庫。
【請求項４】
ファン筐体を装着したファン保持部の前記ファン筐体下部には空間部を設けた請求項１〜３のいずれか１項記載の冷蔵庫。
【発明の詳細な説明】
【技術分野】
【０００１】
本発明は冷蔵庫に関し、特に除霜をした後の結露水の結氷が原因で発生する冷却ファンの回転障害防止に関するものである。
【背景技術】
【０００２】
一般に冷蔵庫は、冷蔵室、冷凍室、野菜室等の貯蔵室とともにその背部に冷却室を備え、当該冷却室に設けた冷却器で冷気を生成し、その冷気を前記冷却器の上方に設けた冷却ファンにより冷蔵室、冷凍室、野菜室等の各貯蔵室に供給し冷却するようになっている。
【０００３】
そして、上記冷蔵庫は冷却を行っていると、冷却室に設けた冷却器に霜が付着し冷却能力が低下するので、前記冷却器の下方にラジアントヒータ等の発熱手段を設け、この発熱手段を所定時間ごとに発熱させて冷却器に付着した霜を融かし除霜するようになっている（例えば、特許文献１参照）。
【０００４】
図１０は上記特許文献１に記載された冷蔵庫を示し、この冷蔵庫は、冷蔵庫本体１０１内に冷蔵室１０２、冷凍室１０３、野菜室１０４等の貯蔵室を備え、背面の冷却室１０５に設けた冷却器１０６で冷気を生成して冷却器１０６上方の冷却ファン１０７により前記各貯蔵室に冷気を供給して冷却する。
【０００５】
そして、所定時間経過すると、冷却器１０６の下方に設けたラジアントヒータヒータ１０８に通電してこれを発熱させ、その熱で前記冷却器１０６に付着した霜を融かし除霜している。
【０００６】
ここで、上記冷却ファン１０７は、図１１（ａ）に示すように、そのファン筐体１０９が四角枠状に形成されていてその下辺が斜めに傾斜する状態で冷却室１０５を区画形成するファン保持板１１０に装着固定されている。そして、上記ファン保持板１１０はそのファン装着用開口１１１の縁の両側の面に固定片部１１２〜１１６が設けてあり、この両側の固定片部１１２〜１１６の間にファン筐体１０８を挟持する形で冷却ファン１０７を保持している。更に、上記固定片部１１２〜１１６のうち、結露が発生する冷却室１０５側に面した固定片部１１５、１１６は図１１（ｂ）に示すようにファン筐体１０８の上片と下辺に設けてあり、そのいずれもが長尺形状となっていて、下辺側の固定片部１１６は下辺のコーナ部にかけて設けてあった。
【先行技術文献】
【特許文献】
【０００７】
【特許文献１】特開２０１０−４３８２４号公報
【発明の概要】
【発明が解決しようとする課題】
【０００８】
上記従来の冷蔵庫は、定期的に除霜するので冷却能力を良好に維持できるのはもちろん、ファン保持板１０９のファン装着用開口１１０の縁に設けた複数の固定片部１１２〜１１６によって冷却ファン１０７を強固にファン保持板１１０に保持でき、振動音等を抑制できる利点がある。
【０００９】
しかしながら、上記除霜時に冷却室１０５内で生じる蒸気が冷却室内に臨む冷却ファン１０７のファン筐体１０８部分で結露し、この結露した結露水が重力によってファン筐体１０８の下辺に流下する。そして、この結露水は前記下辺の傾斜最下部にかけて位置する
固定片部１１６部分に留水し、そのまま除霜後の冷却動作によって結氷することがあった。そして、前記結露する結露水が多い場合、結氷が大きなものとなって冷却ファン１０７の回転に支障をきたすことがあった。
【００１０】
本発明はこのような点に鑑みてなしたもので、ファン筐体の下辺に生じる結氷が大きなものとならないようにしてファン回転に支障をきたさないようにした冷蔵庫の提供を目的としたものである。
【課題を解決するための手段】
【００１１】
本発明は、上記目的を達成するため、ファン筐体は四角枠状に形成してその下辺が傾斜状態となるようにファン保持板に装着し、かつ、前記ファン筐体の下辺をファン保持板に固定する結露発生面側の固定片部は最下部コーナ以外の部分に設けた構成としてある。
【００１２】
これにより、除霜後にファン筐体に結露して付着しファン筐体の下辺に流下してくる結露水は、当該下辺の傾斜に沿ってその最下部コーナへと流動し、そのままファン筐体の最下部コーナから下方へ滴下する。したがって、ファン筐体下辺の最下部分に留水しこれが結氷して大きな塊となってファンの回転に支障をきたすのを防止できる。
【発明の効果】
【００１３】
本発明は、上記構成により、ファン筐体固定片部での除霜後の結露水の結氷によるファンの回転障害を防止でき、信頼性の高い冷蔵庫とすることができる。
【図面の簡単な説明】
【００１４】
【図１】本発明の実施の形態１における冷蔵庫の斜視図
【図２】同実施の形態１における冷蔵庫の概略縦断面図
【図３】同実施の形態１における冷蔵庫の内部を示す斜視図
【図４】同実施の形態１における冷蔵庫の冷却ファン設置部分を示す断面図
【図５】同実施の形態１における冷蔵庫の冷却ファン設置部分を示す正面図
【図６】同実施の形態１における冷蔵庫の冷却ファン取付部分の結露発生側面（冷却室側面）を示す斜視図
【図７】（ａ）同実施の形態１における冷蔵庫のファン保持板の結露発生側面（冷却室側面）を示す斜視図、（ｂ）同ファン保持板の冷気通路側面を示す斜視図
【図８】（ａ）同実施の形態１における冷蔵庫の冷却ファン取付部の結露発生側面（冷却室側面）を示す斜視図、（ｂ）同冷却ファン取付部の冷気通路側面を示す斜視図
【図９】同実施の形態１における冷蔵庫の冷却ファン取付部の断面図
【図１０】従来の冷蔵庫の断面図
【図１１】（ａ）従来の冷蔵庫の冷却ファンを保持したファン保持板の貯蔵室側を示す斜視図、（ｂ）同ファン保持板の冷却室側を示す斜視図
【発明を実施するための形態】
【００１５】
第１の発明は、複数の貯蔵室を有する冷蔵庫本体と、前記冷蔵庫本体の背部に設けた冷却室と、前記冷却室に設けた冷却器と、前記冷却器の上方にあって冷却冷気を前記各貯蔵室に供給する冷却ファンと、前記冷却器の下方に設けた除霜用の発熱手段とを備え、前記冷却ファンは前記冷却室を区画形成するファン保持板に設けたファン装着用開口に配置して前記ファン装着用開口の縁の両面に設けた大小複数の固定片部によりファン保持板に固定した冷蔵庫であって、前記冷却ファンはそのファン筐体を四角枠状に形成してその下辺が傾斜状態となるようにファン保持板に装着し、かつ、前記ファン筐体の下辺をファン保持板に固定する冷却室内側面の前記固定片部は傾斜状態とした下辺の最下部コーナ以外の部分に設けた構成としてある。
【００１６】
これにより、除霜後にファン筐体に結露して付着しファン筐体の下辺に流下してくる結露水は、当該下辺の傾斜に沿ってその最下部コーナへと流動する。そして、このファン筐体の最下部コーナはファン筐体を固定する固定片部がないので、前記下辺の最下部コーナまで流動した結露水はそのまま下方へ滴下する。したがって、ファン筐体下辺の最下部分に留水しこれが結氷して大きな塊となってファンの回転に支障をきたすのを防止できる。
【００１７】
第２の発明は、第１の発明において、前記ファン筐体をファン保持板に固定する大小複数の固定片部のうちファン筐体の下辺に設ける固定片部は前記下辺以外の部分に設けた固定片部より小さい形状とした構成としてある。
【００１８】
これにより、ファン筐体下辺の固定片部に向かって流れてくる除霜後の結露水は固定片部が小さいのでそのまま下辺の最下部コーナへと流れる、もしくは留水したとしてもその量は極めて少なく結氷しても大きなものとならず極めて小さなものにとどまってファン回転に支障をきたすようなことはなくなる。
【００１９】
第３の発明は、第１または第２の発明において、前記ファン筐体の上方部分にファン羽根の羽根先端垂線よりも外方に突出する庇部を設けた構成としてある。
【００２０】
これにより、ファン保持板の冷却ファンよりも上方部分で結露し滴下もしくは流下してくる除霜水があってもこれを庇部で受け止め、ファン筐体及びファン羽根に滴下もしくは流下して付着し留水の原因となることを防止でき、より確実に除霜後の結露水の結氷に起因するファンの回転障害を防止することができる。
【００２１】
第４の発明は、第１〜第３の発明において、前記ファン筐体を装着したファン保持板の前記ファン筐体下部には空間部を設けた構成としてある。
【００２２】
これにより、ファン筐体の下辺を流れる除霜後の結露水が下辺端縁から下方へとスムーズに滴下するようになり、ファン筐体下辺の端縁部分に結露水が溜まって氷結するようなことも防止できる。したがって、除霜後の結露水の氷結によるファンの回転障害をより確実かつ効果的に防止することができる。
【００２３】
以下、本発明の実施の形態について、図面を参照しながら説明する。なお、この実施の形態によって本発明が限定されるものではない。
【００２４】
（実施の形態１）
図１は本発明の実施の形態１における冷蔵庫の外観斜視図、図２は同冷蔵庫の概略縦断面図、図３は同冷蔵庫の内部を示す斜視図、図４は同冷蔵庫の冷却ファン設置部分を示す断面図、図５は同冷蔵庫の冷却ファン設置部分を示す正面図、図６は同冷蔵庫の冷却ファン取付部分の結露発生側面（冷却室側面）を示す斜視図、図７（ａ）は同冷蔵庫のファン保持板の結露発生側面（冷却室側面）を示す斜視図、（ｂ）は同ファン保持板の冷気通路側面を示す斜視図、図８（ａ）は同冷蔵庫の冷却ファン取付部の結露発生側面（冷却室側面）を示す斜視図、（ｂ）は同冷却ファン取付部の冷気通路側面を示す斜視図、図９は同冷蔵庫の冷却ファン取付部の断面図である。
【００２５】
図１〜図３において、本実施の形態における冷蔵庫は、その冷蔵庫本体１が、前方に開口する金属製の外箱２と、ＡＢＳ等の硬質樹脂からなる内箱３と、これら外箱２と内箱３との間に発泡充填した硬質の発泡ウレタン４からなる。そして、上記内外箱間には図２に太線で示す真空断熱材が設けてある。
【００２６】
上記冷蔵庫本体１はその内部に、冷蔵室５と、冷蔵室５の下に位置する切替室６及び切
替室６に並設した製氷室７と、切替室６及び製氷室７の下部に位置する冷凍室８と、冷凍室８の下部に位置する野菜室９等の複数の貯蔵室を有する。
【００２７】
また、前記複数の貯蔵室のうち冷蔵室５の前面は、観音開き式の扉１０（１０ａ，１０ｂ）により開閉自在とし、切替室６及び製氷室７と冷凍室８と野菜室９の前面部は引き出し式の扉１１，１２，１３，１４によって開閉自在としてある。
【００２８】
上記各扉１０〜１４は、冷蔵庫本体１と同様、硬質の発泡ウレタンを発泡充填して断熱性を持たせ、更に意匠性を向上させるべくその前面はガラス板を装着して構成したガラス扉としてある。そして、前記冷蔵室５の前面の観音開き式の扉１０（１０ａ，１０ｂ）は、その一側端上下部分を冷蔵庫本体１の仕切板１５の一つに装着したヒンジ部材（図示せず）によって軸支してあり、その一方の扉１０ａは他方の扉１０ｂよりも大きく構成してある。
【００２９】
一方、冷蔵庫本体１の背面には冷却室１６があり、冷気を生成する冷却器１７と、冷気を冷蔵室５、冷凍室８、野菜室９等の各室に供給する冷却ファン１８とが設けてある。そして、上記冷蔵庫本体１の本体天面奥部には圧縮機１９が設けてあり、コンデンサ（図示せず）と、放熱用の放熱パイプ（図示せず）と、キャピラリーチューブ（図示せず）と、前記した冷却器１７とを順次環状に接続してなる冷凍サイクルに炭化水素系冷媒である例えばイソブタン冷媒を封入し、冷却運転を行うように構成してある。
【００３０】
ここで、上記冷蔵庫本体１の冷却室１６は、図２に示すように、冷凍温度帯となる冷凍室８および切替室６と製氷室７に跨る背面部分に設けてあり、図４に示すように、冷却器１７の上方に冷却ファン１８を保持するポリプロピレン（ＰＰ）製の冷却室形成兼ファン保持板２１（以下、ファン保持板と称す）によって形成してある。
【００３１】
そして、上記ファン保持板２１の前方には冷却ファン１８からの冷気を前記各貯蔵室に供給する冷気通路部２２を形成する壁板２３が配置してあり、この壁板２３を前記ファン保持板２１、冷却器１７、冷却ファン１８と一体にユニット化して冷却ユニット２４とし、冷蔵庫本体１に組み付けてある。
【００３２】
また、上記冷却室１６の冷却器下方には冷却運転により冷却器１７に付着した霜を除霜するラジアントヒータ等の発熱手段２５と保護カバー２６が設けてあり、さらにその下部には冷蔵庫本体外に貫通したドレンチューブ２７が設けてある。
【００３３】
更に前記ファン保持板２１の冷却器上方部分は、図５〜図８に示すように傾斜面２８として、固定枠部２９を有する略四角形状のファン装着用開口３０が形成してあり、図５〜図８で明らかなように左右水平線に対し傾斜状態となる形となっている。
【００３４】
そして、上記冷却ファン１８は、図８に示すように、ファン筐体３１を四角枠状に形成して前記ファン装着用開口３０の固定枠部２９に嵌め込み装着してある。したがって、冷却ファン１８のファン筐体３１もその下辺が左右水平線に対し傾斜状態となっている。
【００３５】
前記ファン装着用開口３０の固定枠部２９の両面、すなわち除霜した蒸気が結露する冷却室１６に臨む面及び冷気通路部２２に臨む面の両側の開口縁には、前記冷却ファン１８のファン筐体３１を固定する複数の固定片部３３〜３９が設けてある。
【００３６】
具体的には、図８に示すように、ファン保持板２１の蒸気が結露する冷却室側面の両側辺には上方部に大きな固定片部３３，３３、その下方に小さな固定片部３４，３４、そして下辺にも小さな固定片部３５が設けてある。また、ファン保持板２１の冷気通路部２２
側面となる上辺左右コーナには大きなコーナ固定片部３６，３６、右側辺には小さな固定片部３７、左側辺コーナ部にはファンモータリード線保護を兼ねた特大の固定片部３８、そして下辺には小さな固定片部３９が設けてある。
【００３７】
すなわち、上記ファン装着用開口３０の固定枠部２９両側には大小複数の固定片部３３〜３９が設けてある。そして、上記大小複数の固定片部３３〜３９のうち、ファン筐体３１の結露発生側面となる冷却室側面の下辺に設けた小さな固定片部３５は、傾斜最下部コーナ以外の部分、この例では傾斜最下部コーナより若干上方部分に設け、下辺の最下部コーナとなる部分には固定片部を設けない構成としてある。
【００３８】
また、上記結露発生側面となる冷却室側面の下辺に設けた小さな固定片部３５は、除霜後の結露水がこの固定片部３５部分に留水して結氷してもこれがファン回転の障害にならない大きさに留まる大きさ、例えば下辺の傾斜に沿って流れる結露水の流れ方向の幅を１０ｍｍ程度以内となる大きさとしてある。
【００３９】
更に、この実施の形態では結露発生側面となる冷却室側面の固定枠部２９の上辺に設けた長尺の上方固定枠部３２は、図９に示すように、その先端が前記冷却ファン１８のファン羽根１８ａの羽根先端垂線Ｘよりも外方、すなわちファン羽根１８ａと反対側方向に突出する庇部４０を一体形成してある。
【００４０】
また、上記ファン筐体３１を装着したファン装着用開口３０の固定枠部２９の下辺冷却室内側端縁Ｙは、図９に示すように、ファン保持板２１の傾斜面２８より冷却室側に突出する形に形成し、ファン装着用開口３０の下辺の冷却室内側端縁の下方、すなわちファン筐体３１の下方部分は空間部４１となる形状としてある。
【００４１】
なお、冷却ファン１８のファン筐体３１外周にはフォーム４２が貼り付けてあり、このフォーム４２がファン筐体３１とファン装着用開口３０の固定枠部２９および固定片部３３〜３９との間の緩衝材となって、ファン回転による左右方向の振動異音等の発生を防止している。
【００４２】
以上のように構成した冷蔵庫について、次にその作用効果について説明する。
【００４３】
まずこの冷蔵庫は、発熱手段２５を発熱させて除霜を行うと、冷却器１７に付着していた霜が融けてそのまま滴下すると同時にその一部は蒸発して冷却室１６内を上昇する。そして、前記蒸気は冷却室１６を区画形成するファン保持板２１や冷却ファン１８のファン筐体３１の冷却室側部分に触れて結露する。
【００４４】
上記冷却ファン１８のファン筐体３１に結露した結露水は、ファン筐体３１が左右水平線に対し傾斜状態に設置されているため、その上辺、左右両側辺の結露水は重力によって下辺へと流下する。そして、下辺まで流下した結露水は、下辺の傾斜に沿ってその最下部コーナへと向かって流れ下る。
【００４５】
この下辺の最下部コーナへと流れ下った結露水は、当該最下部コーナに固定片部３５が存在しないので、そのまま下方へと滴下していき、留水するようなことはなくなる。
【００４６】
したがって、除霜後の冷却運転開始によって、ファン筐体下辺の最下部コーナに多くの水が溜まっていてこれが結氷し、この結氷がファン羽根１８ａの先端の回転軌跡内に位置するような大きなものとなることを防止できる。
【００４７】
よって、除霜後の結露水の結氷により冷却ファン１８の回転に支障をきたすのを防止す
ることができる。
【００４８】
また、結露水が流れ下るファン筐体３１の下辺も最下部コーナより上方部分を固定片部３５によって固定しているため、この固定片部３５部分で結露水の一部が表面張力等で留水する可能性があるが、この固定片部３５は１０ｍｍ幅以内であって前記ファン筐体３１を固定する複数の固定片部３３，３４の中でもより小さい形状としてあるから、ファン筐体下辺の固定片部３５に向かって流れてくる結露水はそのまま下辺の最下部コーナへと流れる、もしくは留水したとしてもその量は極めて少なく結氷で生じる氷塊は極めて小さなものにとどまる。
【００４９】
従って、結氷したとしてもファン羽根１８ａの回転軌跡内まで到達するほど大きなものとなることはなく、冷却ファン１８の回転に支障をきたすようなことはない。
【００５０】
なお、この固定片部３５は下片の傾斜のできるだけ上方の高い位置に設けるのが好ましい。このようにすることによって、結露水は表面張力等に抗して留水することなく傾斜最下部コーナへと流れやすくなるので、効果的である。
【００５１】
また、上記固定片部３５を含め他の固定片部３３〜３４、３６〜３９は、何れも上下略垂直に設けてあるから、これらいずれの固定片部３３〜３４、３６〜３９にも重力が効果的に作用し、結露水が下方へと流動しやすくなるので、効果的である。
【００５２】
更にまた、前記冷却室１６内を上昇する除霜後の蒸気は、前記冷却ファン１８のファン筐体３１のみならず冷却ファン１８を保持しているファン保持板２１の冷却室内側面にも結露しファン保持板２１の冷却室内側面に沿って流下するが、冷却ファン１８上方のファン保持板２１の冷却室内側面を流下してくる結露水は、冷却ファン１８を設けた傾斜面２８による傾斜によってファン筐体３１の上辺に設けた長尺の固定片部３２端縁より下方へと滴下する。
【００５３】
この時、上記冷却ファン１８のファン筐体３１の上辺に設けた長尺の上方固定枠部３２は、庇部４０が設けてあってその庇部４０は前記冷却ファン１８のファン羽根１８ａの羽根先端垂線Ｘよりも外方まで突出しているので、この庇部４０の端縁から滴下する前記結露水はファン筐体３１及びファン羽根１８ａに付着することなく下方へと滴下する。
【００５４】
従って、ファン保持板２１の冷却ファン１８より上方部分で結露しこれが滴下もしくは流下してくることがあっても、この結露水がファン筐体３１及びファン羽根１８ａに付着し留水の原因となることを防止でき、より確実に結露水結氷に起因する冷却ファン１８の回転障害を防止することができる。
【００５５】
さらにまた、前記ファン筐体３１を装着したファン保持板２１の前記ファン筐体３１下部は空間部４１となっているから、ファン筐体３１の下辺を流動する結露水がその前端縁から下方へとスムーズに滴下する。すなわち、ファン筐体３１下部には空間部４１を設けたことによってファン筐体３１の下辺冷却室内側端縁Ｙから下方へと滴下するのを阻止するような障害物が存在しない形となって結露水がスムーズに滴下するようになるのである。したがって、ファン筐体３１の下辺の前端縁部分に結露水が溜まって氷結するようなことも防止でき、結露水の氷結による冷却ファン１８の回転障害をより確実かつ効果的に防止することができる。
【００５６】
以上、本発明に係る冷蔵庫について、上記実施の形態を用いて説明したが、本発明は、これに限定されるものではない。すなわち、今回開示された実施の形態はすべての点で例示であって制限的なものではないと考えられるべきである。つまり、本発明の範囲は上記
した説明ではなくて特許請求の範囲によって示され、特許請求の範囲と均等の意味及び範囲内でのすべての変更が含まれることが意図される。
【産業上の利用可能性】
【００５７】
本発明は、ファン筐体固定片部での除霜結露水の結氷によるファンの回転障害を防止でき、信頼性の高い冷蔵庫とすることができる。よって、家庭用および業務用など様々な種類および大きさの冷蔵庫に広く適用可能である。
【符号の説明】
【００５８】
１  冷蔵庫本体
４  発泡ウレタン
５  冷蔵室（貯蔵室）
６  切替室（貯蔵室）
７  製氷室（貯蔵室）
８  冷凍室（貯蔵室）
９  野菜室（貯蔵室）
１０、１０ａ，１０ｂ  扉
１１、１２、１３、１４  扉
１６  冷却室
１７  冷却器
１８  冷却ファン
１８ａ  ファン羽根
１９  圧縮機
２１  ファン保持板
２２  冷気通路部
２３  壁板
２４  冷却ユニット
２５  発熱手段
２６  保護カバー
２７  ドレンチューブ
２８  傾斜面
２９  固定枠部
３０  ファン装着用開口
３１  ファン筐体
３２  上方固定枠部
３３〜３９  固定片部
４０  庇部
４１  空間部
４２  フォーム
Ｘ  羽根先端垂線
Ｙ  冷却室内側端縁
【図１】
2017096546.tif 000003
【図２】
2017096546.tif 000004
【図３】
2017096546.tif 000005
【図４】
2017096546.tif 000006
【図５】
2017096546.tif 000007
【図６】
2017096546.tif 000008
【図７】
2017096546.tif 000009
【図８】
2017096546.tif 000010
【図９】
2017096546.tif 000011
【図１０】
2017096546.tif 000012
【図１１】
2017096546.tif 000013